(57)【要約】【課題】  鑑賞対象物を備えたＣＤプラスチックケース等を良好に展示できると共に、取り出しを容易にした額縁を提供する。【解決手段】  前部に展示物（ＣＤプラスチックケース１４）の外形よりも小に形成された展示窓６が形成されると共に、後部に展示物を収納するための収納窓７が形成され、且つ、該収納窓７の近傍に該展示物を保持して離脱を防止する保持部材８，８…が設けられた額縁１であって、前記収納窓７は前記展示物の厚み以上の深さに形成され、且つ、該収納窓７の外周部に、該展示物の出し入れを容易にするため人の指が挿入自在の大きさに切欠された切欠部１０，１１が該外周部から外方に突出して形成されている額縁を提供する。【選択図】  図４
2004230186.tif 000002
【特許請求の範囲】
【請求項１】
前部に展示物の外形よりも小に形成された展示窓が形成されると共に、後部に展示物を収納するための収納窓が形成され、且つ、該収納窓の近傍に該展示物を保持して離脱を防止する保持部材が設けられた額縁であって、前記収納窓は前記展示物の厚み以上の深さに形成され、且つ、該収納窓の外周部に、該展示物の出し入れを容易にするため人の指が挿入自在の大きさに切欠された切欠部が該外周部から外方に突出して形成されていることを特徴とする額縁。
【請求項２】
上記切欠き部は１又は２箇所以上形成されていることを特徴とする請求項１記載の額縁。
【請求項３】
上記展示物はレコードジャケット、ＤＶＤトールケース、パネル状に形成された写真である写真パネル、パネル状に形成された絵画である絵画パネル、パネル状に形成された印刷物である印刷パネル、又は、絵画キャンバスの中から選択的に採用されたものであることを特徴とする請求項１又は２記載の額縁。
【請求項４】
上記展示物は鑑賞対象物を備えたＣＤプラスチックケース、ＤＶＤジュエルケース、又は、ＭＤプラスチックケースの中から選択的に採用されるものであり、上記展示窓は該ＣＤプラスチックケースの開閉基端部、ＤＶＤジュエルケースの開閉基端部、又は、ＭＤプラスチックケースのＭＤ取り出し部等の非展示部位を遮蔽して見えないようにした大きさに形成され、一方、上記収納窓は該非展示部位を遮蔽して収納する遮蔽収納部が形成されていることを特徴とする請求項１又は２記載の額縁。
【請求項５】
上記鑑賞対象物はＣＤプラスチックケース、ＤＶＤジュエルケース、又は、ＭＤプラスチックケース内に収納された表カード又はブックレットであることを特徴とする請求項４記載の額縁。
【請求項６】
上記鑑賞対象物はＣＤプラスチックケース、ＤＶＤジュエルケース、又は、ＭＤプラスチックケースに貼付されていることを特徴とする請求項４記載の額縁。
【請求項７】
上記鑑賞対象物はＣＤプラスチックケース、ＤＶＤジュエルケース、又は、ＭＤプラスチックケースに描画、印刷、又は、加工されていることを特徴とする請求項４記載の額縁。
【請求項８】
上記展示物は鑑賞対象物を備えたＣＤプラスチックケース、又は、ＤＶＤジュエルケースであって、該ＣＤプラスチックケース、又は、ＤＶＤジュエルケースを収納するための上記額縁は、該額縁を形成する上下左右枠部材の夫々の枠幅が１０乃至３００ｍｍに形成されていることを特徴とする請求項４，５，６又は７記載の額縁。
【請求項９】
上記展示窓及び収納窓は木片から成る上下左右枠部材によって形成され、該上下左右枠部材は隣接する枠部材が断面略くの字状連結金具を打ち込まれることにより相互に連結されていることを特徴とする請求項１，２，３，４，５，６，７又は８記載の額縁。
【発明の詳細な説明】
【技術分野】
【０００１】
本発明は、額縁に関し、特に、前部に展示窓が形成されると共に、後部に展示物を収納するための収納窓が形成される額縁であって、鑑賞対象物を備えたＣＤプラスチックケース等を良好に展示できると共に、取り出しを容易にした額縁に関する。
【背景技術】
【０００２】
従来、絵画、写真、印刷物等を収納する額縁は広く知られており、又、その額縁に関して、種々の創意工夫もなされている。例えば、特許文献１は額縁用枠材の連結を堅牢且つ正確に行えるようにしたものであり、特許文献２は模様の印刷されたシートを額縁素材周面に巻き付けて額縁の模様を形成する方法を提供するものである。
【０００３】
そして、一般に広く用いられる額縁は、前部に展示物の外形よりも小に形成された展示窓が形成されると共に、後部に展示物を収納するための収納窓が形成され、且つ、該収納窓の近傍に該展示物を保持して離脱を防止する保持部材が設けられている。
【特許文献１】特開平７−１５５２４４号公報
【特許文献２】特開平９−２５２８９７号公報
【発明の開示】
【発明が解決しようとする課題】
【０００４】
然しながら、従来の額縁によって展示される展示物は、絵画、写真、印刷物等のように可撓性の薄いシート状のものが多く、そのため、該展示物を額縁の収納窓に収納する際に該展示物の前面にガラス板等の透明板を収納し、該透明板によってシート状の展示物を保持する場合が一般的である。
【０００５】
一方、従来、シート状でないもの、例えば、表カード又はブックレット等を収納したＣＤプラスチックケース、ＤＶＤジュエルケース、又は、ＭＤプラスチックケース、レコードジャケット、ＤＶＤトールケース、パネル状に形成された写真である写真パネル、パネル状に形成された絵画である絵画パネル、パネル状に形成された印刷物である印刷パネル、又は、絵画キャンバス等についても、芸術的価値の高いもの、或いは、展示する効果が高いものがあり、それらについても展示できる額縁が望まれている。その場合は、展示物自体が所定の剛性を有することも多く、然る時は、従来のガラス板等の透明板が不要になる等の利点も期待できる。
【０００６】
以上の現状に鑑み、本発明の目的は、鑑賞対象物を備えたＣＤプラスチックケース等を良好に展示できると共に、取り出しを容易にした額縁を提供する。
【課題を解決するための手段】
【０００７】
上記の課題を解決すべく、本発明は以下の構成を提供する。
請求項１に係る発明は、前部に展示物の外形よりも小に形成された展示窓が形成されると共に、後部に展示物を収納するための収納窓が形成され、且つ、該収納窓の近傍に該展示物を保持して離脱を防止する保持部材が設けられた額縁であって、前記収納窓は前記展示物の厚み以上の深さに形成され、且つ、該収納窓の外周部に、該展示物の出し入れを容易にするため人の指が挿入自在の大きさに切欠された切欠部が該外周部から外方に突出して形成されていることを特徴とする額縁を提供するものである。
【０００８】
請求項２に係る発明は、上記切欠き部は１又は２箇所以上形成されていることを特徴とする請求項１記載の額縁を提供するものである。
請求項３に係る発明は、上記展示物はレコードジャケット、ＤＶＤトールケース、パネル状に形成された写真である写真パネル、パネル状に形成された絵画である絵画パネル、パネル状に形成された印刷物である印刷パネル、又は、絵画キャンバスの中から選択的に採用されたものであることを特徴とする請求項１又は２記載の額縁を提供するものである。
【０００９】
請求項４に係る発明は、上記展示物は鑑賞対象物を備えたＣＤプラスチックケース、ＤＶＤジュエルケース、又は、ＭＤプラスチックケースの中から選択的に採用されるものであり、上記展示窓は該ＣＤプラスチックケースの開閉基端部、ＤＶＤジュエルケースの開閉基端部、又は、ＭＤプラスチックケースのＭＤ取り出し部等の非展示部位を遮蔽して見えないようにした大きさに形成され、一方、上記収納窓は該非展示部位を遮蔽して収納する遮蔽収納部が形成されていることを特徴とする請求項１又は２記載の額縁を提供するものである。
【００１０】
請求項５に係る発明は、上記鑑賞対象物はＣＤプラスチックケース、ＤＶＤジュエルケース、又は、ＭＤプラスチックケース内に収納された表カード又はブックレットであることを特徴とする請求項４記載の額縁を提供するものである。
【００１１】
請求項６に係る発明は、上記鑑賞対象物はＣＤプラスチックケース、ＤＶＤジュエルケース、又は、ＭＤプラスチックケースに貼付されていることを特徴とする請求項４記載の額縁を提供するものである。
【００１２】
請求項７に係る発明は、上記鑑賞対象物はＣＤプラスチックケース、ＤＶＤジュエルケース、又は、ＭＤプラスチックケースに描画、印刷、又は、加工されていることを特徴とする請求項４記載の額縁を提供するものである。
【００１３】
請求項８に係る発明は、上記展示物は鑑賞対象物を備えたＣＤプラスチックケース、又は、ＤＶＤジュエルケースであって、該ＣＤプラスチックケース、又は、ＤＶＤジュエルケースを収納するための上記額縁は、該額縁を形成する上下左右枠部材の夫々の枠幅が１０乃至３００ｍｍに形成されていることを特徴とする請求項４，５，６又は７記載の額縁を提供するものである。
【００１４】
請求項９に係る発明は、上記展示窓及び収納窓は木片から成る上下左右枠部材によって形成され、該上下左右枠部材は隣接する枠部材が断面略くの字状連結金具を打ち込まれることにより相互に連結されていることを特徴とする請求項１，２，３，４，５，６，７又は８記載の額縁を提供するものである。
【発明の効果】
【００１５】
本発明の請求項１記載の発明によれば、前部に展示物の外形よりも小に形成された展示窓が形成されると共に、後部に展示物を収納するための収納窓が形成され、且つ、該収納窓の近傍に該展示物を保持して離脱を防止する保持部材が設けられた額縁であって、前記収納窓は前記展示物の厚み以上の深さに形成され、且つ、該収納窓の外周部に、該展示物の出し入れを容易にするため人の指が挿入自在の大きさに切欠された切欠部が該外周部から外方に突出して形成されている額縁を提供するので、所定の厚みを有する展示物を良好に展示できると共に、切欠部に指を挿入して展示物を取り出すことにより、展示物の取り出しを容易にした額縁を得ることができる。
【００１６】
請求項２記載の発明によれば、上記切欠き部は１又は２箇所以上形成されているので、請求項１記載の発明の効果に加え、２箇所以上の切欠き部に指を挿入して展示物を取り出すことができ、展示物の取り出しが容易になる。
【００１７】
請求項３記載の発明によれば、上記展示物はレコードジャケット、ＤＶＤトールケース、パネル状に形成された写真である写真パネル、パネル状に形成された絵画である絵画パネル、パネル状に形成された印刷物である印刷パネル、又は、絵画キャンバスの中から選択的に採用されたものであるので、請求項１又は２記載の発明の効果に加え、所定の厚みを有するレコードジャケット、ＤＶＤトールケース、写真パネル、絵画パネル、印刷パネル、又は、絵画キャンバスを額縁に収納して展示することができる。
【００１８】
請求項４記載の発明によれば、上記展示物は鑑賞対象物を備えたＣＤプラスチックケース、ＤＶＤジュエルケース、又は、ＭＤプラスチックケースの中から選択的に採用されるものであり、上記展示窓は該ＣＤプラスチックケースの開閉基端部、ＤＶＤジュエルケースの開閉基端部、又は、ＭＤプラスチックケースのＭＤ取り出し部等の非展示部位を遮蔽して見えないようにした大きさに形成され、一方、上記収納窓は該非展示部位を遮蔽して収納する遮蔽収納部が形成されているので、請求項１又は２記載の発明の効果に加え、鑑賞対象物を備えた所定の厚みを有するＣＤプラスチックケース、ＤＶＤジュエルケース、又は、ＭＤプラスチックケースを額縁に収納して展示することができると共に、前記遮蔽収納部によって開閉基端部等の非展示部位を遮蔽することができる。
【００１９】
請求項５記載の発明によれば、上記鑑賞対象物はＣＤプラスチックケース、ＤＶＤジュエルケース、又は、ＭＤプラスチックケース内に収納された表カード又はブックレットであるので、請求項４記載の発明の効果に加え、該表カード又はブックレットの表紙を鑑賞することができる。
【００２０】
請求項６記載の発明によれば、上記鑑賞対象物はＣＤプラスチックケース、ＤＶＤジュエルケース、又は、ＭＤプラスチックケースに貼付されているので、請求項４記載の発明の効果に加え、貼付された前記鑑賞対象物を鑑賞することができる。
【００２１】
請求項７記載の発明によれば、上記鑑賞対象物はＣＤプラスチックケース、ＤＶＤジュエルケース、又は、ＭＤプラスチックケースに描画、印刷、又は、加工されているので、請求項４記載の発明の効果に加え、描画、印刷、又は、加工された前記鑑賞対象物を鑑賞することができる。
【００２２】
請求項８記載の発明によれば、上記展示物は鑑賞対象物を備えたＣＤプラスチックケース、又は、ＤＶＤジュエルケースであって、該ＣＤプラスチックケース、又は、ＤＶＤジュエルケースを収納するための上記額縁は、該額縁を形成する上下左右枠部材の夫々の枠幅が１０乃至３００ｍｍに形成されているので、請求項４，５，６又は７記載の発明の効果に加え、上下左右枠部材の夫々の枠幅が１０乃至３００ｍｍに形成されていることにより装飾効果を高めることができる。
【００２３】
請求項９記載の発明によれば、上記展示窓及び収納窓は木片から成る上下左右枠部材によって形成され、該上下左右枠部材は隣接する枠部材が断面略くの字状連結金具を打ち込まれることにより相互に連結されているので、請求項１，２，３，４，５，６，７又は８記載の発明の効果に加え、上下左右枠部材が強固に連結されると共に、連結作業が容易である。
【発明を実施するための最良の形態】
【００２４】
以下、実施例を示した図面を参照しつつ本発明の実施の形態を説明する。
図１は本発明の額縁の正面図を示し、図２は該額縁の背面図を示し、図３は図２のＡ−Ａ線断面図を示す。図１に於いて１は、ＣＤプラスチックケース等を展示するための本発明の額縁を示し、該額縁１は装飾効果を高めるべく、夫々の枠幅Ｗが１０乃至３００ｍｍ、好ましくは３０ｍｍに形成された木片から成る上下左右枠部材２，３，４，５によって枠体が形成され、該額縁１の前部にＣＤプラスチックケース等の展示物の外形よりも小に形成された展示窓６が該額縁１の略中心に形成されると共に、図２に示す如く、該額縁１の後部に展示物を収納するための収納窓７が形成され、且つ、該収納窓７の近傍に該展示物を保持して離脱を防止する長片状の保持部材８，８…が設けられている。
【００２５】
そして、前記上下左右枠部材２，３，４，５は隣接する枠部材２と４，４と３，３と５，５と２が断面略くの字状連結金具９，９…を夫々打ち込まれることにより相互に連結されている。尚、前記上下左右枠部材２，３，４，５は木片で形成したが、これに限定されるものではなく、合成樹脂、金属、ファイバー、紙等、他の材料で形成することも可能である。但し、その上下左右枠部材２，３，４，５の材料に前記連結金具９，９…が適合しない場合は、適した連結金具を別途選定する必要がある。
【００２６】
又、前記収納窓７の外周部には、該展示物の出し入れを容易にするため人の指が挿入自在の大きさに切欠された１又は２箇所以上の切欠部１０，１１が該外周部から外方に三角形状に突出して形成されている。尚、該切欠部１０，１１は三角形状に形成されているが、該形状に限定されることなく、人の指が挿入できる大きさであれば、例えば、四角形、半円形、半楕円形等に形成されても良く、然る時も略同様の効果が期待できる。
【００２７】
更に、該収納窓７には、ＣＤプラスチックケースの開閉基端部（ＣＤプラスチックケースの背部を含み、リッド（蓋部）の枢支部が形成される直方体形状部位、又は、耳部）である非展示部位を遮蔽して収納する遮蔽収納部１２が形成されている。
【００２８】
従って、該遮蔽収納部１２に収納されたＣＤプラスチックケースの非展示部位である開閉基端部は遮蔽されて前記展示窓６側からは見えない構成となっている。
【００２９】
尚、図に於いて、１３，１３は紐の両端を掛けるための紐掛け部材であり、該紐掛け部材１３は左右枠部材４，５に固定板１３ａ，１３ａが回転自在に螺着され、該固定板１３ａ，１３ａに半環状の紐掛け部１３ｂ，１３ｂが揺動自在に設けられている。
【００３０】
又、図３に示すように、前記収納窓７は前記展示物であるＣＤプラスチックケース１４を収納するため、該ＣＤプラスチックケース１４の厚み以上の深さを有するように形成されている。
更に、前記保持部材８，８…は前記ＣＤプラスチックケース１４を保持して離脱を防止するため、前記収納窓７近傍の前記上下左右枠部材２，３，４，５後部に回転自在に螺着されている。
【００３１】
而して、前記額縁１にＣＤプラスチックケース１４を収納するための手順を説明すると、先ず、前記保持部材８，８…を回転させて該保持部材８，８…の先端部を前記収納窓７から離反させ、且つ、前記紐掛け部材１３，１３を回転させて該紐掛け部材１３，１３の紐掛け部１３ｂ，１３ｂを前記収納窓７から離反させる。そして、前記ＣＤプラスチックケース１４内に、例えば、表カード又はブックレット等の鑑賞対象物を収納し、該ＣＤプラスチックケース１４の前面を前記展示窓６側に向けて該ＣＤプラスチックケース１４を前記収納窓７内に収納し、且つ、図４に示す如く、該ＣＤプラスチックケース１４の開閉基端部１４ａを該収納窓７に形成された前記遮蔽収納部１２に収納する。
【００３２】
そして、該ＣＤプラスチックケース１４を該収納窓７内に完全に収納した後、前記保持部材８，８…を回転させて、該保持部材８，８…の先端部を該ＣＤプラスチックケース１４の後面に当接させて該ＣＤプラスチックケース１４を保持して該ＣＤプラスチックケース１４の離脱を防止し、更に、前記紐掛け部材１３，１３の紐掛け部１３ｂ，１３ｂに紐１５を掛けて該紐１５を所定位置で結束すると前記額縁１は展示可能となり、壁等の任意の場所に設けた止め具（図示せず）に該紐１５を掛ければ該額縁１を展示することができる。尚、図示は省略するが、前記紐掛け部材１３，１３及び前記紐１５に代えて、前記上枠部材２の裏面中央部に係止具、又は、係止穴を設けることも可能であり、然る時も略同様の効果が期待できる。
【００３３】
図５は展示された額縁１を前方から見たものであり、前記展示窓６内にＣＤプラスチックケース１４が視認できると共に、該ＣＤプラスチックケース１４を透過して、該ＣＤプラスチックケース１４内に収納した表カード又はブックレット等の前記鑑賞対象物１６が視認できる。そして、その時、該鑑賞対象物１６の中心が展示窓６の略中心にセットされて視認されると共に、前記ＣＤプラスチックケース１４の前記開閉基端部（図４に於いて１４ａ）は遮蔽されて該展示窓６から視認不可能となっている。
【００３４】
次に、該ＣＤプラスチックケース１４を前記額縁１から取り出す場合は、前記止め具から紐１５を外して該額縁１を壁等から下ろし、該額縁１の後面を上方にして該額縁１を水平に置き、前記紐１５の結束を解き、又は、紐１５を前記収納窓７から離反させると共に、前記紐掛け部材１３，１３及び保持部材８，８…を回転させて、夫々の先端部を前記収納窓７から離反させ、前記切欠部１０，１１に指を入れて前記ＣＤプラスチックケース１４に指を掛けて、或いは、指で挟んで該ＣＤプラスチックケース１４を取り出すことができる。尚、該ＣＤプラスチックケース１４を取り出す場合に於いて、前記展示窓６側から該ＣＤプラスチックケース１４の前面を押すと更に取り出しやすい。
【００３５】
斯くして、前記額縁１は所定の厚みを有する展示物であり、鑑賞対象物１６を備えたＣＤプラスチックケース１４を良好に展示できると共に、１又は２箇所以上の前記切欠部１０，１１に指を挿入して該ＣＤプラスチックケース１４を容易に取り出すことができる。
【００３６】
又、前記遮蔽収納部１２によって開閉基端部１４ａ等の非展示部位を遮蔽することができる。
更に、前記連結金具９，９…が打ち込まれることにより上下左右枠部材２，３，４，５の相互の連結が強固になると共に、連結作業が容易である。
【００３７】
尚、本発明の前記額縁１は、前記ＣＤプラスチックケース１４に代えて、該ＣＤプラスチックケース１４と略同形状を有するＤＶＤジュエルケースを収納することも可能であり、然る時も同様の効果が期待できる。
【００３８】
又、図示は省略するが、本発明の前記額縁１は、前記ＣＤプラスチックケース１４に代えて、該額縁１の各部位の寸法を変更することにより、ＭＤプラスチックケース等を収納することも可能であり、然る時も同様の効果が期待できる。その場合、該ＭＤプラスチックの取出し部を非展示部位として遮蔽収納部１２に収納する。
【００３９】
更に、図示は省略するが、前記鑑賞対象物１６はＣＤプラスチックケース、ＤＶＤジュエルケース、又は、ＭＤプラスチックケース等に貼付された写真、印刷物、絵画等であっても良く、或いは、ＣＤプラスチックケース、ＤＶＤジュエルケース、又は、ＭＤプラスチックケース等に直接描画、印刷、又は、加工されているものであっても良く、然る時も同様の効果が期待できる。
【００４０】
更に又、図６は他の額縁１７を示し、該額縁１７は前記額縁（図１に於いて１）が収納するＣＤプラスチックケース（図４に於いて１４）に代えてレコードジャケット、ＤＶＤトールケース、パネル状に形成された写真である写真パネル、パネル状に形成された絵画である絵画パネル、パネル状に形成された印刷物である印刷パネル、又は、絵画キャンバス等を収納して展示することができるようにしたものである。但し、該額縁１７の各寸法はこれらの展示物に適した寸法に設定する。そして、収納窓１８には前記遮蔽収納部（図４に於いて１２）が形成されず、前記切欠部（図４に於いて１０，１１）に代えて、人の指が挿入自在の半楕円状の１又は２箇所以上の切欠部１９，２０が該収納窓１８の上下外周部から外方に突出して形成されている。尚、該切欠部１９，２０の形状は半楕円状に限定させるものではなく、人の指が挿入できるものであれば他の形状であっても良い。
【００４１】
斯くして、前記額縁１７によってレコードジャケット、ＤＶＤトールケース、写真パネル、絵画パネル、印刷パネル、又は、絵画キャンバス等の展示物を容易に収納して展示することができ、又、前記切欠部１９，２０によって該展示物を容易に取り出し可能である。
【００４２】
尚、前記額縁１７の収納窓１８にレコードジャケット、ＤＶＤトールケース、写真パネル、絵画パネル、印刷パネル、又は、絵画キャンバス等の展示物を収納する場合に於いて、前面にアクリル板等の透明板を添えることも可能であり、然る時は、該透明板によって展示物を保護できると共に、該透明板による光沢等の効果を付与することも可能である。
【図面の簡単な説明】
【００４３】
【図１】本発明の一実施の形態を示し、額縁の正面図。
【図２】本発明の一実施の形態を示し、額縁の背面図。
【図３】図２のＡ−Ａ線断面図。
【図４】本発明の一実施の形態を示し、ＣＤプラスチックケースを収納した額縁の背面図。
【図５】本発明の一実施の形態を示し、ＣＤプラスチックケースを収納した額縁の正面図。
【図６】本発明の他の実施の形態を示し、額縁の背面図。
【符号の説明】
【００４４】
１，１７  額縁
２  上枠部材
３  下枠部材
４  左枠部材
５  右枠部材
６  展示窓
７，１８  収納窓
８  保持部材
９  連結金具
１０，１１，１９，２０  切欠部
１２  遮蔽収納部
１４  ＣＤプラスチックケース
１６  鑑賞対象物
【図１】
2004230186.tif 000003
【図２】
2004230186.tif 000004
【図３】
2004230186.tif 000005
【図４】
2004230186.tif 000006
【図５】
2004230186.tif 000007
【図６】
2004230186.tif 000008